(57)【要約】      （修正有）【課題】端子カバーを備える電気機器において、組立作業や補修作業を容易に行うことが可能な技術を提供する。【解決手段】電気機器（充電器１０）は、バッテリパックをスライド方向にスライドさせることでバッテリパックを着脱可能なハウジング２４と、ハウジング２４に取り付けられたバッテリパックと電気的に接続されるバッテリ接続端子３２と、バッテリ接続端子３２を保護する保護位置と、露出させる露出位置の間で移動可能な端子カバー３４を備える。ハウジング２４は、スライド方向に沿って伸びるカバーレール３６、３７を備える。端子カバー３４は、バッテリ接続端子３２を少なくとも部分的に覆う形状を有するカバー本体４２と、カバー本体４２と一体的に形成されたフック４５を備える。フック４５は、カバーレール３６、３７に対してスライド方向に摺動可能に係合する。【選択図】図６
2020162407.tif 000002
【特許請求の範囲】
【請求項１】
バッテリパックをスライド方向にスライドさせることで前記バッテリパックを着脱可能なハウジングと、
前記ハウジングに取り付けられた前記バッテリパックと電気的に接続されるバッテリ接続端子と、
前記バッテリ接続端子を保護する保護位置と、前記バッテリ接続端子を露出させる露出位置の間で移動可能な端子カバーを備えており、
前記ハウジングが、前記スライド方向に沿って伸びるカバーレールを備えており、
前記端子カバーが、
前記バッテリ接続端子を少なくとも部分的に覆う形状を有するカバー本体と、
前記カバー本体と一体的に形成されたフックを備えており、
前記フックが前記カバーレールに対して前記スライド方向に摺動可能に係合している、電気機器。
【請求項２】
前記カバーレールが、第１のカバーレールと、第２のカバーレールを備えており、
前記フックが、前記第１のカバーレールに対して前記スライド方向に摺動可能に係合している第１のフックと、前記第２のカバーレールに対して前記スライド方向に摺動可能に係合している第２のフックを備えている、請求項１の電気機器。
【請求項３】
前記バッテリ接続端子が、前記第１のカバーレールと前記第２のカバーレールの間に配置されている、請求項２の電気機器。
【請求項４】
前記ハウジングが、前記フックが前記カバーレールとの係合が解除されるように移動または変形することを防止するカバー外れ防止部材をさらに備える、請求項１から３の何れか一項の電気機器。
【請求項５】
前記ハウジングの内部に収容された引張バネをさらに備えており、
前記端子カバーが、前記引張バネの弾性復元力によって、前記露出位置から前記保護位置に向けて付勢されている、請求項１から４の何れか一項の電気機器。
【請求項６】
前記引張バネの一端が、前記端子カバーによって保持されており、
前記引張バネの他端が、前記ハウジングによって保持されており、
前記ハウジングが、
前記引張バネの前記他端を保持する柱状部材と、
前記引張バネの前記他端の前記柱状部材の軸方向に沿った移動を防止するストッパ部材をさらに備えている、請求項５の電気機器。
【請求項７】
前記ハウジングが、前記ハウジングの内部で前記引張バネの周囲を囲うように配置された引張バネ収容部材をさらに備えている、請求項５または６の電気機器。
【請求項８】
前記カバーレールが、前記ハウジングに形成された貫通孔の縁の部分に形成されており、
前記端子カバーが前記露出位置から前記保護位置に向かう方向に関して、前記フックが、前記カバー本体よりも突出した形状を有する、請求項５から７の何れか一項の電気機器。
【請求項９】
前記カバーレールの外面に、前記スライド方向に沿って延びる凸条が形成されている、請求項１から８の何れか一項の電気機器。
【請求項１０】
前記端子カバーが、前記フックと一体的に形成されており、前記カバーレールの外面に沿って延びており、前記スライド方向に長手方向を有するカバープレートをさらに備える、請求項１から９の何れか一項の電気機器。
【請求項１１】
前記カバー本体が、前記スライド方向に対して直交する面に沿った補強部材を備えている、請求項１から１０の何れか一項の電気機器。
【発明の詳細な説明】
【技術分野】
【０００１】
本明細書で開示する技術は、電気機器に関する。
【背景技術】
【０００２】
特許文献１に、電気機器が開示されている。前記電気機器は、バッテリパックをスライド方向にスライドさせることで前記バッテリパックを着脱可能なハウジングと、前記ハウジングに取り付けられた前記バッテリパックと電気的に接続されるバッテリ接続端子と、前記バッテリ接続端子を保護する保護位置と、前記バッテリ接続端子を露出させる露出位置の間で移動可能な端子カバーを備えている。前記ハウジングは、前記スライド方向に沿って伸びるカバーレールを備えている。前記端子カバーは、前記バッテリ接続端子を少なくとも部分的に覆う形状を有するカバー本体と、前記カバー本体と一体的に形成された略円柱形状のストッパと、前記ストッパの先端にネジによって固定されるワッシャを備えており、前記ストッパと前記ワッシャが前記カバーレールに対してスライド方向に摺動可能に係合している。
【先行技術文献】
【特許文献】
【０００３】
【特許文献１】特開２００４−１４７３６０号公報
【発明の概要】
【発明が解決しようとする課題】
【０００４】
特許文献１の電気機器では、端子カバーをハウジングに組み付ける際に、ストッパにワッシャをネジ留めする作業が必要であり、組立作業や補修作業が煩雑なものとなっていた。端子カバーを備える電気機器において、組立作業や補修作業を容易に行うことが可能な技術が期待されている。
【課題を解決するための手段】
【０００５】
本明細書は、電気機器を開示する。前記電気機器は、バッテリパックをスライド方向にスライドさせることで前記バッテリパックを着脱可能なハウジングと、前記ハウジングに取り付けられた前記バッテリパックと電気的に接続されるバッテリ接続端子と、前記バッテリ接続端子を保護する保護位置と、前記バッテリ接続端子を露出させる露出位置の間で移動可能な端子カバーを備えていてもよい。前記ハウジングは、前記スライド方向に沿って伸びるカバーレールを備えていてもよい。前記端子カバーは、前記バッテリ接続端子を少なくとも部分的に覆う形状を有するカバー本体と、前記カバー本体と一体的に形成されたフックを備えていてもよい。前記フックは、前記カバーレールに対して前記スライド方向に摺動可能に係合していてもよい。
【０００６】
上記の電気機器によれば、カバー本体と一体的に形成されたフックをカバーレールに係合させることで、端子カバーをハウジングに組み付けることができる。端子カバーをハウジングに組み付ける際に、ネジ留め作業を必要としないので、組立作業や補修作業を容易に行うことができる。
【図面の簡単な説明】
【０００７】
【図１】実施例１の充電器１０をバッテリパック２と共に示す斜視図である。
【図２】実施例１の充電器１０の縦断面図である。
【図３】実施例１の充電器１０について、端子カバー３４が保護位置にある状態を示す斜視図である。
【図４】実施例１の充電器１０について、端子カバー３４が保護位置にある状態を示す上面図である。
【図５】実施例１の充電器１０について、端子カバー３４が露出位置にある状態を示す斜視図である。
【図６】実施例１の充電器１０について、端子カバー３４が露出位置にある状態を示す上面図である。
【図７】実施例１の充電器１０の端子カバー３４を前方右方上方から見た斜視図である。
【図８】実施例１の充電器１０の端子カバー３４を後方右方上方から見た斜視図である。
【図９】実施例１の充電器１０のバッテリパック取付部１４の横断面図である。
【図１０】実施例１の充電器１０の上側ハウジング２４を前方右方下方から見た斜視図である。
【図１１】実施例１の充電器１０について、端子カバー３４が保護位置にある状態での引張バネ３８の近傍の様子を示す縦断面図である。
【図１２】実施例１の充電器１０について、端子カバー３４が露出位置にある状態での引張バネ３８の近傍の様子を示す縦断面図である。
【図１３】実施例１の充電器１０について、端子カバー３４が保護位置にある状態でのハウジング１２の内部の様子を示す斜視図である。
【図１４】実施例１の充電器１０について、端子カバー３４が露出位置にある状態でのハウジング１２の内部の様子を示す斜視図である。
【図１５】実施例２のアダプタ１０２を、バッテリパック１０４とバッテリチェッカ１０６と共に示す斜視図である。
【図１６】実施例２のアダプタ１０２の端子カバー１１４が保護位置にある状態の斜視図である。
【図１７】実施例２のアダプタ１０２の端子カバー１１４が露出位置にある状態の斜視図である。
【図１８】実施例２の上側ハウジング１２８を前方右方下方から見た斜視図である。
【図１９】実施例２の上側ハウジング１２８に、機器側端子１７４とバッテリ側端子１７６が実装された制御基板１１６を取り付けた状態を、前方右方下方から見た斜視図である。
【図２０】実施例２のアダプタ１０２の端子カバー１１４を取り外した状態を、前後方向に直交する断面で見た断面図である。
【図２１】実施例２の引張バネ１２６ａ、１２６ｂと端子カバー１１４を取り付けた上側ハウジング１２８を下方から見た底面図である。
【図２２】実施例２のアダプタ１０２を前方右方下方から見た斜視図である。
【図２３】実施例２のアダプタ１０２の端子カバー１１４を取り外した状態を、左右方向に直交する断面で見た断面図である。
【図２４】実施例２のアダプタ１０２の端子カバー１１４を前方左方上方から見た斜視図である。
【図２５】実施例２のアダプタ１０２の端子カバー１１４を後方左方上方から見た斜視図である。
【図２６】実施例２のアダプタ１０２を前後方向に直交する断面で見た断面図である。
【図２７】実施例３のアダプタ２０２を前方左方上方から見た斜視図である。
【図２８】実施例３のアダプタ２０２の端子カバー２０４を前方左方上方から見た斜視図である。
【発明を実施するための形態】
【０００８】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善された電気機器やその製造方法及び使用方法を提供するために、他の特徴や発明とは別に、又は共に用いることができる。
【０００９】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００１０】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１１】
いくつかの実施形態では、電気機器は、バッテリパックをスライド方向にスライドさせることで前記バッテリパックを着脱可能なハウジングと、前記ハウジングに取り付けられた前記バッテリパックと電気的に接続されるバッテリ接続端子と、前記バッテリ接続端子を保護する保護位置と、前記バッテリ接続端子を露出させる露出位置の間で移動可能な端子カバーを備えていてもよい。前記ハウジングは、前記スライド方向に沿って伸びるカバーレールを備えていてもよい。前記端子カバーは、前記バッテリ接続端子を少なくとも部分的に覆う形状を有するカバー本体と、前記カバー本体と一体的に形成されたフックを備えていてもよい。前記フックは、前記カバーレールに対して前記スライド方向に摺動可能に係合していてもよい。
【００１２】
上記の電気機器によれば、カバー本体と一体的に形成されたフックをカバーレールに係合させることで、端子カバーをハウジングに組み付けることができる。端子カバーをハウジングに組み付ける際に、ネジ留め作業を必要としないので、組立作業や補修作業を容易に行うことができる。
【００１３】
いくつかの実施形態では、前記カバーレールは、第１のカバーレールと、第２のカバーレールを備えていてもよい。前記フックは、前記第１のカバーレールに対して前記スライド方向に摺動可能に係合している第１のフックと、前記第２のカバーレールに対して前記スライド方向に摺動可能に係合している第２のフックを備えていてもよい。
【００１４】
上記の構成によれば、第１のフックと第２のフックのそれぞれが、第１のカバーレールと第２のカバーレールのそれぞれに摺動可能に係合するので、端子カバーをハウジングに対してスライドさせる際に、端子カバーがガタつくことを抑制することができる。端子カバーをハウジングに対してスムーズにスライドさせることができる。
【００１５】
いくつかの実施形態では、前記バッテリ接続端子は、前記第１のカバーレールと前記第２のカバーレールの間に配置されていてもよい。
【００１６】
上記の構成によれば、電気機器において、バッテリ接続端子と、端子カバーと、カバーレールが占める範囲を、スライド方向に関してより小型化することができる。
【００１７】
いくつかの実施形態では、前記ハウジングは、前記フックが前記カバーレールとの係合が解除されるように移動または変形することを防止するカバー外れ防止部材をさらに備えていてもよい。
【００１８】
上記の構成によれば、意図せずにフックがカバーレールから外れてしまうことを防止することができる。
【００１９】
いくつかの実施形態では、前記電気機器は、前記ハウジングの内部に収容された引張バネをさらに備えていてもよい。前記端子カバーは、前記引張バネの弾性復元力によって、前記露出位置から前記保護位置に向けて付勢されていてもよい。
【００２０】
いくつかの実施形態では、電気機器は、バッテリパックをスライド方向にスライドさせることで前記バッテリパックを着脱可能なハウジングと、前記ハウジングに取り付けられた前記バッテリパックと電気的に接続されるバッテリ接続端子と、前記バッテリ接続端子を保護する保護位置と、前記バッテリ接続端子を露出させる露出位置の間で前記スライド方向に移動可能な端子カバーと、前記ハウジングの内部に収容された引張バネを備えていてもよい。前記端子カバーは、前記引張バネの弾性復元力によって、前記露出位置から前記保護位置に向けて付勢されていてもよい。
【００２１】
端子カバーが圧縮バネの弾性復元力によって露出位置から保護位置に向けて付勢されている構成では、圧縮バネが座屈変形を生じた時に、圧縮バネが周囲の部材と接触してしまい、騒音の発生や、圧縮バネや周囲の部材の損傷を招くおそれがある。上記の構成によれば、端子カバーが引張バネの弾性復元力によって露出位置から保護位置に向けて付勢されているので、バネの座屈変形に起因する騒音の発生や部材の損傷を防止することができる。
【００２２】
いくつかの実施形態では、前記引張バネの一端が、前記端子カバーによって保持されていてもよい。前記引張バネの他端が、前記ハウジングによって保持されていてもよい。前記ハウジングは、前記引張バネの前記他端を保持する柱状部材と、前記引張バネの前記他端の前記柱状部材の軸方向に沿った移動を防止するストッパ部材をさらに備えていてもよい。
【００２３】
引張バネの他端を柱状部材によって保持する構成では、引張バネが伸縮する際に、柱状部材が引張バネの他端を保持する位置が、柱状部材の軸方向に沿ってズレてしまうおそれがある。上記の構成によれば、ハウジングの柱状部材が引張バネの他端を保持する位置が、柱状部材の軸方向に沿ってズレてしまうことを防止することができる。
【００２４】
いくつかの実施形態では、前記ハウジングは、前記ハウジングの内部で前記引張バネの周囲を囲うように配置された引張バネ収容部材をさらに備えていてもよい。
【００２５】
仮に引張バネの端部が取付箇所から外れてしまった場合に、引張バネそのものがハウジング内で移動してしまうと、ハウジングの内部に配置された回路基板等の他の部品に引張バネが接触してしまい、不具合を生じるおそれがある。上記の構成によれば、仮に引張バネの端部が取付箇所から外れてしまった場合であっても、引張バネそのものがハウジング内で移動することを防止することができ、引張バネが回路基板等の他の部品と接触してしまうことを防止することができる。
【００２６】
いくつかの実施形態では、前記カバーレールは、前記ハウジングに形成された貫通孔の縁の部分に形成されていてもよい。前記端子カバーが前記露出位置から前記保護位置に向かう方向に関して、前記フックは、前記カバー本体よりも突出した形状を有していてもよい。
【００２７】
カバーレールがハウジングに形成された貫通孔の縁の部分に形成されている場合、バッテリパックが取り付けられていない状態では、ハウジングの外部から貫通孔を介して水や異物が入り込んで、引張バネの動作に影響を及ぼすおそれがある。上記の構成によれば、端子カバーが露出位置から保護位置に向かう方向に関して、フックがカバー本体よりも突出した形状を有しているので、バッテリパックが取り付けられていない状態でも、フックによって引張バネをハウジングの外部から遮蔽することができる。バッテリパックが取り付けられていない状態において、ハウジングの外部から貫通孔を介して水や異物が入り込んで、引張バネの動作に影響を及ぼすことを抑制することができる。
【００２８】
いくつかの実施形態では、前記カバーレールの外面に、前記スライド方向に沿って延びる凸条が形成されていてもよい。
【００２９】
上記のような凸条がカバーレールの外面に形成されていない場合、フックがカバーレールに対して繰り返し摺動した場合に、カバーレールの外面に傷痕が形成されて、電気機器の美観を損なうおそれがある。上記の構成によれば、フックがカバーレールに対して繰り返し摺動した場合でも、カバーレールの外面に傷痕が形成されることを抑制することができ、電気機器の美観を保つことができる。
【００３０】
いくつかの実施形態では、前記端子カバーは、前記フックと一体的に形成されており、前記カバーレールの外面に沿って延びており、前記スライド方向に長手方向を有するカバープレートをさらに備えていてもよい。
【００３１】
上記の構成によれば、端子カバーのスライド方向の端部を上下に動かす回動方向の力が端子カバーに作用した場合でも、端子カバーがハウジングに対してガタつく事を抑制することができ、端子カバーがバッテリ接続端子と接触してしまうことを抑制することができる。
【００３２】
いくつかの実施形態では、前記カバー本体が、前記スライド方向に対して直交する面に沿った補強部材を備えていてもよい。
【００３３】
上記の構成によれば、カバー本体のスライド方向に直交する方向の剛性を向上することができる。これによって、カバー本体に衝撃が作用した場合でも、カバー本体が変形することを抑制することができ、カバー本体がバッテリ接続端子と接触してしまうことを抑制することができる。
【００３４】
（実施例１）
図１から図１４を参照して、実施例１の充電器１０を説明する。図１に示すように、充電器１０は、バッテリパック２を充電するための電気機器である。バッテリパック２は、電動工具（図示省略）や電動作業機（図示省略）のための電源であって、電動工具や電動作業機に着脱可能に構成されている。バッテリパック２は、所定のスライド方向にスライドさせることで、充電器１０に着脱可能である。以下では、バッテリパック２のスライド方向を充電器１０の載置面に投影した方向を前後方向といい、充電器１０の載置面内で前後方向に直交する方向を左右方向といい、充電器１０の載置面に直交する方向を上下方向という。
【００３５】
図２に示すように、充電器１０は、ハウジング１２と、バッテリパック取付部１４と、充電回路１６と、送風機１８とを備える。ハウジング１２は、インナフレーム２０と、下側ハウジング２２と、上側ハウジング２４を備えている。下側ハウジング２２は、充電器１０の下半面の外形形状を規定しており、上側ハウジング２４は充電器１０の上半面の外形形状を規定している。上側ハウジング２４は下側ハウジング２２に対して締結具（図示せず）によって固定されている。充電回路１６と、送風機１８と、インナフレーム２０は、下側ハウジング２２および上側ハウジング２４の内部に収容されており、下側ハウジング２２にそれぞれ締結具（図示せず）によって固定されている。
【００３６】
バッテリパック取付部１４は、上側ハウジング２４の上面に設けられている。本実施例では、充電器１０は、１つのバッテリパック取付部１４を備えており、１つのバッテリパック２を取り付け可能である。これとは異なり、充電器１０は、２つ以上のバッテリパック取付部１４を備え、２つ以上のバッテリパック２を取り付け可能であってもよい。充電回路１６は、電源コード（図示せず）から供給される交流電力を直流電力に変換して、バッテリパック取付部１４に取り付けられたバッテリパック２に充電電力を供給する。送風機１８は、上側ハウジング２４に設けられた給気口２６から空気を吸引するとともに、下側ハウジング２２に設けられた排気口２８から空気を排出する。バッテリパック取付部１４にバッテリパック２が取り付けられた状態では、バッテリパック２の排気口（図示せず）が上側ハウジング２４の給気口２６に対向して配置される。充電器１０がバッテリパック２を充電する際には、充電回路１６が送風機１８を駆動して、バッテリパック２の排気口から空気を吸引することで、バッテリパック２の内部に冷却風を流動させて、バッテリパック２を冷却する。
【００３７】
図３−図６に示すように、バッテリパック取付部１４は、バッテリレール３０，３１と、バッテリ接続端子３２（図５、図６参照）と、端子カバー３４と、カバーレール３６，３７と、引張バネ３８，３９（図６参照）を備えている。バッテリレール３０は、バッテリパック取付部１４の左端に配置されている。バッテリレール３０は、上側ハウジング２４から上方向に突出する支持壁３０ａと、支持壁３０ａの上端から右方に向けて突出するガイドリブ３０ｂを備えている。バッテリレール３１は、バッテリパック取付部１４の右端に配置されている。バッテリレール３１は、上側ハウジング２４から上方向に突出する支持壁３１ａと、支持壁３１ａの上端から左方に向けて突出するガイドリブ３１ｂを備えている。バッテリパック２がバッテリパック取付部１４に取り付けられる際には、バッテリパック２に形成されたガイド溝（図示せず）にガイドリブ３０ｂ，３１ｂが入り込むことで、バッテリパック２はスライド方向にスライド可能にバッテリレール３０，３１に保持される。バッテリ接続端子３２は、バッテリレール３０，３１の間に配置されている。バッテリ接続端子３２は、上側の部分が上側ハウジング２４から上方に向けて突出するように、上側ハウジング２４に保持されている。バッテリ接続端子３２は、ハウジング１２の内部において、配線（図示せず）によって充電回路１６に電気的に接続されている。
【００３８】
端子カバー３４は、スライド方向にスライド可能にカバーレール３６，３７に保持されている。端子カバー３４は、バッテリ接続端子３２を覆う保護位置（図３、図４参照）と、バッテリ接続端子３２を露出させる露出位置（図５、図６参照）の間でスライド可能である。端子カバー３４は、引張バネ３８，３９の弾性復元力によって、露出位置から保護位置へ向かう方向に付勢されている。このため、バッテリパック２がバッテリパック取付部１４に取り付けられていない状態では、引張バネ３８，３９の弾性復元力によって、端子カバー３４は保護位置に保持されている。バッテリパック２がバッテリパック取付部１４に取り付けられる際には、端子カバー３４がバッテリパック２によって押圧されることで、端子カバー３４は保護位置から露出位置へと移動する。カバーレール３６，３７は、上側ハウジング２４の上面に形成されている。本実施例では、上側ハウジング２４の上面にスライド方向に長手方向を有する貫通孔４０，４１が形成されており、上側ハウジング２４の貫通孔４０，４１の縁の部分がカバーレール３６，３７を形成している。
【００３９】
図７、図８に示すように、端子カバー３４は、カバー本体４２と、フック４４，４５を備えている。カバー本体４２とフック４４，４５は、一体的に形成されている。カバー本体４２は、バッテリ接続端子３２の前方を覆う前板４２ａと、上方を覆う上板４２ｂと、左方を覆う左板４２ｃと、右方を覆う右板４２ｄと、隣接するバッテリ接続端子３２の間に配置される仕切り板４２ｅを備えている。カバー本体４２の左板４２ｃと、右板４２ｄと、仕切り板４２ｅは、スライド方向に平行な平面に沿って配置されている。フック４４は、カバー本体４２の左板４２ｃと一体的に形成されている。フック４４は、係合部４４ａと、バネ取付部４４ｂを備えている。係合部４４ａは、右側に向けて開口したＵ字型の断面形状を有しており、スライド方向に沿って伸びている。バネ取付部４４ｂは、係合部４４ａの下面から下方に突出している。バネ取付部４４ｂには、バネ取付穴４４ｃが形成されている。フック４５は、カバー本体４２の右板４２ｄと一体的に形成されている。フック４５は、係合部４５ａと、バネ取付部４５ｂを備えている。係合部４５ａは、左側に向けて開口したＵ字型の断面形状を有しており、スライド方向に沿って伸びている。バネ取付部４５ｂは、係合部４５ａの下面から下方に突出している。バネ取付部４５ｂには、バネ取付穴４５ｃが形成されている。
【００４０】
図９に示すように、端子カバー３４は、フック４４，４５の係合部４４ａ，４５ａを外側に開く方向に弾性変形させて、それぞれの係合部４４ａ，４５ａを貫通孔４０，４１に差し込むことで、上側ハウジング２４に取り付けられる。端子カバー３４が上側ハウジング２４に取り付けられた状態では、フック４４，４５の係合部４４ａ，４５ａはカバーレール３６，３７に、スライド方向に摺動可能に係合する。これによって、端子カバー３４は上側ハウジング２４に対して、スライド方向にスライド可能に保持される。
【００４１】
図１０に示すように、上側ハウジング２４の内側上面には、下方に向けて突出するバネ取付柱４６，４７が形成されている。図１１、図１２に示すように、引張バネ３８は、前端３８ａが端子カバー３４のフック４４のバネ取付部４４ｂに保持されるとともに、後端３８ｂが上側ハウジング２４のバネ取付柱４６に保持される。バネ取付柱４６の外側面には、ストッパリブ４８が形成されている。また、インナフレーム２０には、バネ取付柱４６に対応して、ストッパ壁５０が形成されている。引張バネ３８の後端３８ｂは、ストッパ壁５０とストッパリブ４８によって、バネ取付柱４６の軸方向に沿った移動が抑制される。同様に、引張バネ３９は、前端３９ａが端子カバー３４のフック４５のバネ取付部４５ｂに保持されるとともに、後端３９ｂが上側ハウジング２４のバネ取付柱４７に保持される。バネ取付柱４７の外側面には、ストッパリブ４９が形成されている。また、インナフレーム２０には、バネ取付柱４７に対応して、ストッパ壁５１が形成されている。引張バネ３９の後端３９ｂは、ストッパ壁５１とストッパリブ４９によって、バネ取付柱４７の軸方向に沿った移動が抑制される。
【００４２】
図１３、図１４に示すように、インナフレーム２０は、引張バネ３８の下方に配置された底板５２と、引張バネ３８よりも右側で底板５２から上方に突出する内側リブ５４と、引張バネ３８よりも左側で底板５２から上方に突出する外側リブ５６を備えている。引張バネ３８は、インナフレーム２０の底板５２、内側リブ５４および外側リブ５６と、上側ハウジング２４によって区画された空間内で伸縮する。このような構成とすることによって、仮に引張バネ３８の前端３８ａがフック４４から外れた場合や、引張バネ３８の後端３８ｂがバネ取付柱４６から外れた場合であっても、引張バネ３８がハウジング１２内で移動してしまうことを防ぐことができ、引張バネ３８が充電回路１６や送風機１８に接触してしまうことを防ぐことができる。同様に、インナフレーム２０は、引張バネ３９の下方に配置された底板５３と、引張バネ３９よりも左側で底板５３から上方に突出する内側リブ５５と、引張バネ３９よりも右側で底板５３から上方に突出する外側リブ５７を備えている。引張バネ３９は、インナフレーム２０の底板５３、内側リブ５５および外側リブ５７と、上側ハウジング２４によって区画された空間内で伸縮する。このような構成とすることによって、仮に引張バネ３９の前端３９ａがフック４５から外れた場合や、引張バネ３９の後端３９ｂがバネ取付柱４７から外れた場合であっても、引張バネ３９がハウジング１２内で移動してしまうことを防ぐことができ、引張バネ３９が充電回路１６や送風機１８に接触してしまうことを防ぐことができる。
【００４３】
図９に示すように、インナフレーム２０の外側リブ５６は、端子カバー３４のフック４４よりも左側に配置されている。このため、フック４４がカバーレール３６から外れる方向に移動または変形することを防ぐことができる。また、インナフレーム２０の外側リブ５７は、端子カバー３４のフック４５よりも右側に配置されている。このため、フック４５がカバーレール３７から外れる方向に移動または変形することを防ぐことができる。このような構成とすることによって、フック４４，４５が意図せずにカバーレール３６，３７から外れてしまうことを防ぐことができる。
【００４４】
なお、上記の実施例では、上側ハウジング２４に２つのカバーレール３６，３７が形成されており、端子カバー３４が２つのフック４４，４５を備えている構成について説明した。これとは異なり、上側ハウジング２４に１つのカバーレールのみが形成されており、端子カバー３４が１つのフックのみを備える構成としてもよい。あるいは、上側ハウジング２４に３つ以上のカバーレールが形成されており、端子カバー３４が３つ以上のフックを備える構成としてもよい。
【００４５】
上記の実施例では、上側ハウジング２４の上面にスライド方向に長手方向を有する貫通孔４０，４１が形成されており、上側ハウジング２４の貫通孔４０，４１の縁の部分がカバーレール３６，３７を形成している構成について説明した。これとは異なり、上側ハウジング２４に貫通孔４０，４１を形成することなく、上側ハウジング２４の上面にＬ字型のレール状部分を設けることで、カバーレール３６，３７を形成してもよい。
【００４６】
上記の実施例では、電気機器が充電器１０である場合について説明したが、電気機器は、バッテリパック２を電源とする電動工具や電動作業機、バッテリパック２を診断するためのバッテリ診断装置、バッテリパック２と異なるインターフェースを持つ機器とを接続する変換アダプタ等、バッテリパック２を着脱可能な他の種類の電気機器であってもよい。
【００４７】
以上のように、１またはそれ以上の実施形態において、充電器１０（電気機器の例）は、バッテリパック２をスライド方向にスライドさせることでバッテリパック２を着脱可能なハウジング１２と、ハウジング１２に取り付けられたバッテリパック２と電気的に接続されるバッテリ接続端子３２と、バッテリ接続端子３２を保護する保護位置と、バッテリ接続端子３２を露出させる露出位置の間で移動可能な端子カバー３４を備えている。ハウジング１２は、スライド方向に沿って伸びるカバーレール３６，３７を備えている。端子カバー３４は、バッテリ接続端子３２を少なくとも部分的に覆う形状を有するカバー本体４２と、カバー本体４２と一体的に形成されたフック４４，４５を備えている。フック４４，４５は、カバーレール３６，３７に対してスライド方向に摺動可能に係合している。
【００４８】
上記の充電器１０によれば、カバー本体４２と一体的に形成されたフック４４，４５をカバーレール３６，３７に係合させることで、端子カバー３４をハウジング１２に組み付けることができる。端子カバー３４をハウジング１２に組み付ける際に、ネジ留め作業を必要としないので、組立作業や補修作業を容易に行うことができる。
【００４９】
１またはそれ以上の実施形態において、カバーレール３６，３７は、第１のカバーレール３６と、第２のカバーレール３７を備えている。フック４４，４５は、第１のカバーレール３６に対してスライド方向に摺動可能に係合している第１のフック４４と、第２のカバーレール３７に対してスライド方向に摺動可能に係合している第２のフック４５を備えている。
【００５０】
上記の構成によれば、第１のフック４４と第２のフック４５のそれぞれが、第１のカバーレール３６と第２のカバーレール３７のそれぞれに摺動可能に係合するので、端子カバー３４をハウジング１２に対してスライドさせる際に、端子カバー３４がガタつくことを抑制することができる。端子カバー３４をハウジング１２に対してスムーズにスライドさせることができる。
【００５１】
１またはそれ以上の実施形態において、バッテリ接続端子３２は、第１のカバーレール３６と第２のカバーレール３７の間に配置されている。
【００５２】
上記の構成によれば、充電器１０において、バッテリ接続端子３２と、端子カバー３４と、カバーレール３６，３７が占める範囲を、スライド方向に関してより小型化することができる。
【００５３】
１またはそれ以上の実施形態において、ハウジング１２は、フック４４，４５がカバーレール３６，３７との係合が解除されるように移動または変形することを防止する外側リブ５６（カバー外れ防止部材の例）をさらに備えている。
【００５４】
上記の構成によれば、意図せずにフック４４，４５がカバーレール３６，３７から外れてしまうことを防止することができる。
【００５５】
１またはそれ以上の実施形態において、充電器１０は、ハウジング１２の内部に収容された引張バネ３８，３９をさらに備えている。端子カバー３４は、引張バネ３８，３９の弾性復元力によって、露出位置から保護位置に向けて付勢されている。
【００５６】
端子カバー３４が圧縮バネの弾性復元力によって露出位置から保護位置に向けて付勢されている構成では、圧縮バネが座屈変形を生じた時に、圧縮バネが周囲の部材と接触してしまい、騒音の発生や、圧縮バネや周囲の部材の損傷を招くおそれがある。上記の構成によれば、端子カバー３４が引張バネ３８，３９の弾性復元力によって露出位置から保護位置に向けて付勢されているので、バネの座屈変形に起因する騒音の発生や部材の損傷を防止することができる。
【００５７】
１またはそれ以上の実施形態において、引張バネ３８，３９の前端３８ａ，３９ａ（一端の例）が、端子カバー３４によって保持されている。引張バネ３８，３９の後端３８ｂ，３９ｂ（他端の例）が、ハウジング１２によって保持されている。ハウジング１２は、引張バネ３８，３９の後端３８ｂ，３９ｂを保持するバネ取付柱４６，４７（柱状部材の例）と、引張バネ３８，３９の後端３８ｂ，３９ｂのバネ取付柱４６，４７の軸方向に沿った移動を防止するストッパリブ４８，４９およびストッパ壁５０，５１（ストッパ部材の例）をさらに備えている。
【００５８】
引張バネ３８，３９の後端３８ｂ，３９ｂをバネ取付柱４６，４７によって保持する構成では、引張バネ３８，３９が伸縮する際に、バネ取付柱４６，４７が引張バネ３８，３９の後端３８ｂ，３９ｂを保持する位置が、バネ取付柱４６，４７の軸方向に沿ってズレてしまうおそれがある。上記の構成によれば、ハウジング１２のバネ取付柱４６，４７が引張バネ３８，３９の後端３８ｂ，３９ｂを保持する位置が、バネ取付柱４６，４７の軸方向に沿ってズレてしまうことを防止することができる。
【００５９】
１またはそれ以上の実施形態において、ハウジング１２は、ハウジング１２の内部で引張バネ３８，３９の周囲を囲うように配置された底板５２，５３、内側リブ５４，５５および外側リブ５６，５７（引張バネ収容部材の例）をさらに備えている。
【００６０】
仮に引張バネ３８，３９の前端３８ａ，３９ａや後端３８ｂ，３９ｂが取付箇所から外れてしまった場合に、引張バネ３８，３９そのものがハウジング１２内で移動してしまうと、ハウジング１２の内部に配置された充電回路１６や送風機１８などの他の部品に引張バネ３８，３９が接触してしまい、不具合を生じるおそれがある。上記の構成によれば、仮に引張バネ３８，３９の前端３８ａ，３９ａや後端３８ｂ，３９ｂが取付箇所から外れてしまった場合であっても、引張バネ３８，３９そのものがハウジング１２内で移動することを防止することができ、引張バネ３８，３９が充電回路１６や送風機１８などの他の部品と接触してしまうことを防止することができる。
【００６１】
１またはそれ以上の実施形態において、カバーレール３６，３７は、ハウジング１２に形成された貫通孔４０，４１の縁の部分に形成されている。端子カバー３４が露出位置から保護位置に向かう方向に関して、フック４４，４５は、カバー本体４２よりも突出した形状を有している。
【００６２】
カバーレール３６，３７がハウジング１２に形成された貫通孔４０，４１の縁の部分に形成されている場合、バッテリパック２が取り付けられていない状態では、ハウジング１２の外部から貫通孔４０，４１を介して水や異物が入り込んで、引張バネ３８，３９の動作に影響を及ぼすおそれがある。上記の構成によれば、端子カバー３４が露出位置から保護位置に向かう方向に関して、フック４４，４５がカバー本体４２よりも突出した形状を有しているので、図４に示すように、バッテリパック２が取り付けられていない状態では、フック４４，４５によって引張バネ３８，３９をハウジング１２の外部から遮蔽することができる。バッテリパック２が取り付けられていない状態において、ハウジング１２の外部から貫通孔４０，４１を介して水や異物が入り込んで、引張バネ３８，３９の動作に影響を及ぼすことを抑制することができる。なお、バッテリパック２によって貫通孔４０，４１を覆う構成とした場合、バッテリパック２が取り付けられた状態でも、ハウジング１２の外部から貫通孔４０，４１を介して水や異物が入り込んで、引張バネ３８，３９の動作に影響を及ぼすことを抑制することができる。
【００６３】
（実施例２）
図１５から図２６を参照して、実施例２のアダプタ１０２を説明する。アダプタ１０２は、バッテリパック１０４とバッテリチェッカ１０６とを接続するために使用される電気機器である。バッテリパック１０４は、例えば、ドライバやドリル等の電動工具や、刈払機やブロワ等の電動作業機に取り付けて使用される。バッテリパック１０４は、例えば、リチウムイオンバッテリセルを備えている。バッテリチェッカ１０６は、例えば、バッテリパック１０４の残量、累積充電回数や、バッテリパック１０４が故障している場合は故障箇所を表示する。アダプタ１０２は、例えば、旧型のバッテリパック１０４と旧型のバッテリチェッカ１０６が互いに接続可能に構成されており、新型のバッテリパック１０４と旧型のバッテリチェッカ１０６が互いに接続不能に構成されている場合に、新型のバッテリパック１０４を旧型のバッテリチェッカ１０６に接続するために、新型のバッテリパック１０４と旧型のバッテリチェッカ１０６に対応して用意される。また、アダプタ１０２は、旧型のバッテリパック１０４と新型のバッテリチェッカ１０６が互いに接続不能に構成されている場合に、旧型のバッテリパック１０４を新型のバッテリチェッカ１０６に接続するために、旧型のバッテリパック１０４と新型のバッテリチェッカ１０６に対応して用意されてもよい。
【００６４】
図１５に示すように、バッテリパック１０４の下面には、バッテリ側取付部１０４ａが設けられている。バッテリチェッカ１０６の上面には、チェッカ側取付部１０６ａが設けられている。バッテリチェッカ１０６のチェッカ側取付部１０６ａは、バッテリパック１０４のバッテリ側取付部１０４ａに対応していない。このため、バッテリパック１０４のバッテリ側取付部１０４ａは、バッテリチェッカ１０６のチェッカ側取付部１０６ａに着脱不能である。アダプタ１０２の下面には、バッテリチェッカ１０６のチェッカ側取付部１０６ａに対応するチェッカ取付部１０８（図２２参照）が設けられており、アダプタ１０２の上面には、バッテリパック１０４のバッテリ側取付部１０４ａに対応するバッテリ取付部１１０（図１６参照）が設けられている。アダプタ１０２のチェッカ取付部１０８をバッテリチェッカ１０６のチェッカ側取付部１０６ａにスライドさせることによって、アダプタ１０２をバッテリチェッカ１０６に着脱可能である。バッテリパック１０４のバッテリ側取付部１０４ａを、アダプタ１０２のバッテリ取付部１１０にスライドさせることによって、バッテリパック１０４をアダプタ１０２に着脱可能である。アダプタ１０２をバッテリチェッカ１０６に取り付け、バッテリパック１０４をアダプタ１０２に取り付けることによって、バッテリパック１０４は、アダプタ１０２を介してバッテリチェッカ１０６に接続される。以下では、アダプタ１０２をバッテリチェッカ１０６に対してスライドさせる方向を前後方向と呼び、前後方向に直交する方向を左右方向と呼び、前後方向および左右方向に直交する方向を上下方向と呼ぶ。
【００６５】
図１６に示すように、アダプタ１０２は、ハウジング１１２と、端子カバー１１４と、を備えている。ハウジング１１２は、上側ハウジング１２８と、下側ハウジング１３０と、を備えている。上側ハウジング１２８は、アダプタ１０２の上部の外形形状を規定している。上側ハウジング１２８の上面１２８ａに、バッテリ取付部１１０が設けられている。下側ハウジング１３０は、アダプタ１０２の下部の外形形状を規定している。図２２に示すように、下側ハウジング１３０の下面１３０ａに、チェッカ取付部１０８が設けられている。上側ハウジング１２８と下側ハウジング１３０は、ねじ１３１によって互いに固定されている。
【００６６】
図１６に示すように、上側ハウジング１２８には、バッテリレール１３４、１３６と、貫通孔１３８、１４０（貫通孔１４０は図１８から図２１参照）と、凸条１３９，１４１（図２０参照）と、端子取付部１４２（図１８参照）とが形成されている。バッテリレール１３４、１３６は、バッテリパック１０４をアダプタ１０２に対してスライドさせるスライド方向に長手方向を有している。バッテリレール１３４は、上側ハウジング１２８の上面１２８ａの右端部に配置されている。バッテリレール１３６は、上側ハウジング１２８の上面１２８ａの左端部に配置されている。アダプタ１０２のバッテリ取付部１１０にバッテリパック１０４のバッテリ側取付部１０４ａを取り付ける場合、バッテリレール１３４、１３６は、バッテリ側取付部１０４ａを前後方向に案内する。
【００６７】
貫通孔１３８は、バッテリレール１３４に近接して配置されている。貫通孔１３８は、スライド方向に長手方向を有している。図２０に示すように、貫通孔１４０は、バッテリレール１３６に近接して配置されている。図１８に示すように、貫通孔１４０は、スライド方向に長手方向を有している。バッテリパック１０４がアダプタ１０２に取り付けられたとき、貫通孔１３８、１４０は、バッテリパック１０４と対向する。端子取付部１４２は、バッテリレール１３４、１３６の間に配置されている。本実施例では、貫通孔１３８，１４０の縁の部分がカバーレール１３５，１３７を形成している。
【００６８】
図１６および図１７に示すように、端子カバー１１４は、スライド方向にスライド可能にカバーレール１３５，１３７に保持されている。端子カバー１１４は、後述するバッテリ側端子１７６を覆う保護位置（図１６参照）と、バッテリ側端子１７６を露出させる露出位置（図１７参照）との間でスライド可能である。端子カバー１１４は、引張バネ１２６ａ、１２６ｂ（図２１参照）によって、露出位置から保護位置に向かう方向に付勢されている。このため、バッテリパック１０４がアダプタ１０２に取り付けられていない状態では、図１６に示すように、引張バネ１２６ａ、１２６ｂの弾性復元力によって、端子カバー１１４は保護位置に保持されている。バッテリパック１０４がアダプタ１０２に取り付けられる場合には、端子カバー１１４がバッテリパック１０４によって押圧されることによって、端子カバー１１４は、保護位置から露出位置に移動する。
【００６９】
図２４、図２５に示すように、端子カバー１１４は、カバー本体１１５と、フック１１７，１１９を備えている。カバー本体１１５とフック１１７，１１９は、一体的に形成されている。カバー本体１１５は、バッテリ側端子１７６の前方を覆う前板１１５ａと、上方を覆う上板１１５ｂと、左方を覆う左板１１５ｃと、右方を覆う右板１１５ｄと、隣接するバッテリ側端子１７６の間に配置される仕切り板１１５ｅと、左板１１５ｃと仕切り板１１５ｅの間に設けられた補強リブ１１５ｆと、右板１１５ｄと仕切り板１１５ｅの間に設けられた補強リブ１１５ｇと、仕切り板１１５ｅの後端に設けられた補強フランジ１１５ｈを備えている。カバー本体１１５の左板１１５ｃと、右板１１５ｄと、仕切り板１１５ｅは、スライド方向と上下方向を含む平面に沿って配置されている。補強リブ１１５ｆ、１１５ｇと補強フランジ１１５ｈは、スライド方向に直交する平面に沿って配置されている。
【００７０】
フック１１７は、カバー本体１１５の右板１１５ｄと一体的に形成されている。フック１１７は、係合部１１７ａと、バネ取付部１１７ｂを備えている。係合部１１７ａは、上板１１７ｃと、上板１１７ｃの右端から下方に伸びる右板１１７ｄと、右板１１７ｄから左方に伸びる下板１１７ｅを備えている。上板１１７ｃと、右板１１７ｄと、下板１１７ｅは、スライド方向に沿って延びている。下板１１７ｅの上面には、スライド方向に沿って伸びる凸条１１７ｆが形成されている。バネ取付部１１７ｂは、係合部１１７ａの下板１１７ｅから下方に突出している。バネ取付部１１７ｂには、バネ取付穴１１７ｇが形成されている。フック１１９は、カバー本体１１５の左板１１５ｃと一体的に形成されている。フック１１９は、係合部１１９ａと、バネ取付部１１９ｂを備えている。係合部１１９ａは、上板１１９ｃと、上板１１９ｃの左端から下方に伸びる左板１１９ｄと、左板１１９ｄから右方に伸びる下板１１９ｅを備えている。上板１１９ｃと、左板１１９ｄと、下板１１９ｅは、スライド方向に沿って延びている。下板１１９ｅの上面には、スライド方向に沿って伸びる凸条１１９ｆが形成されている。バネ取付部１１９ｂは、係合部１１９ａの下板１１９ｅから下方に突出している。バネ取付部１１９ｂには、バネ取付穴１１９ｇが形成されている。
【００７１】
図２６に示すように、端子カバー１１４は、フック１１７，１１９の係合部１１７ａ，１１９ａを外側に開く方向に弾性変形させて、それぞれの係合部１１７ａ，１１９ａを貫通孔１３８，１４０に差し込むことで、上側ハウジング１２８に取り付けられる。端子カバー１１４が上側ハウジング１２８に取り付けられた状態では、フック１１７，１１９の係合部１１７ａ，１１９ａはカバーレール１３５，１３７に、スライド方向に摺動可能に係合する。これによって、端子カバー１１４は上側ハウジング１２８に対して、スライド方向にスライド可能に保持される。
【００７２】
端子カバー１１４が上側ハウジング１２８に取り付けられた状態では、端子カバー１１４は上側ハウジング１２８に対して、上側ハウジング１２８の凸条１３９，１４１がフック１１７，１１９の上板１１７ｃ、１１９ｃの下面に当接する位置まで下方に移動可能であるとともに、フック１１７，１１９の凸条１１７ｆ、１１９ｆがカバーレール１３５，１３７に当接する位置まで上方に移動可能である。このため、端子カバー１１４を上側ハウジング１２８に対してスライド方向にスライドさせる際には、フック１１７，１１９の上板１１７ｃ、１１９ｃの下面や、カバーレール１３５，１３７の下面に、凸条１３９，１４１や凸条１１７ｆ，１１９ｆの摺動に伴う傷痕が生じるものの、上側ハウジング１２８の外面や端子カバー１１４の外面に傷痕が生じることはない。このため、端子カバー１１４を上側ハウジング１２８に対して繰り返しスライドさせた場合でも、アダプタ１０２の美観を良好に保つことができる。
【００７３】
図２０に示すように、アダプタ１０２は、制御基板１１６と、防水壁１１８、１２０と、をさらに備えている。制御基板１１６と防水壁１１８、１２０とは、上側ハウジング１２８と下側ハウジング１３０の内部に収容されている。図１９に示すように、制御基板１１６は、上側ハウジング１２８の位置決めピン１４４によって、４つの角のうちの対角の関係にある２つの角において、上側ハウジング１２８に対して位置決めされている。また、制御基板１１６は、ねじ１４６によって、４つの角のうちの対角の関係にある他の２つの角において、上側ハウジング１２８に固定されている。
【００７４】
防水壁１１８、１２０は、上側ハウジング１２８の上側内面から下側に延びている（図１８参照）。図２０に示すように、防水壁１１８は、貫通孔１３８のカバーレール１３５よりも左側でスライド方向に沿って延びている。防水壁１１８は、貫通孔１３８と制御基板１１６との間を遮るように配置されている。防水壁１１８の下端部は、制御基板１１６よりも下側に配置されている。防水壁１２０は、貫通孔１４０のカバーレール１３７よりも右側でスライド方向に沿って延びている。防水壁１２０は、貫通孔１４０と制御基板１１６との間を遮るように配置されている。防水壁１２０の下端部は、制御基板１１６よりも下側に配置されている。左右方向に関して、制御基板１１６は、防水壁１１８、１２０との間に配置されている。防水壁１１８、１２０のそれぞれは、貫通孔１３８、１４０のそれぞれからハウジング１１２の内部に水が侵入した場合、侵入した水を下側に案内する。
【００７５】
図２１に示すように、上側ハウジング１２８の上側内面には、ピン１３２ａ、１３２ｂが下側に延びている。左右方向に関して、ピン１３２ａは、防水壁１１８と貫通孔１３８の右縁部との間に配置されている。左右方向に関して、ピン１３２ａと防水壁１１８との間の幅Ｗ１は、ピン１３２ａと貫通孔１３８の右縁部との間の幅Ｗ２と略同一である。また、左右方向に関して、ピン１３２ｂは、防水壁１２０と貫通孔１４０の左縁部との間に配置されている。左右方向に関して、ピン１３２ｂと防水壁１２０との間の幅Ｗ１は、ピン１３２ｂと貫通孔１４０の左縁部との間の幅Ｗ２と略同一である。
【００７６】
ピン１３２ａには、引張バネ１２６ａの一端部が取り付けられている。なお、引張バネ１２６ａの他端部は、端子カバー１１４のバネ取付部１１７ｂに取り付けられている。引張バネ１２６ａは、前側から後側に向かうにつれて、防水壁１１８から離れるように傾斜している。仮に、ピン１３２ａの位置を本実施例のピン１３２ａよりも防水壁１１８側に寄せて、引張バネ１２６ａを前後方向に平行に配置した場合、引張バネ１２６ａは、防水壁１１８に干渉するため、引張バネ１２６ａの取り付け性が悪化する。本実施例では、引張バネ１２６ａは前側から後側に向かうにつれて、防水壁１１８から離れるように傾斜しているので、引張バネ１２６ａが防水壁１１８に干渉して引張バネ１２６ａの取り付け性が悪化することを抑制することができる。また、ピン１３２ｂには、引張バネ１２６ｂの一端部が取り付けられている。なお、引張バネ１２６ｂの他端部は、端子カバー１１４のバネ取付部１１９ｂに取り付けられている。引張バネ１２６ｂは、前側から後側に向かうにつれて、防水壁１２０から離れるように傾斜している。このため、引張バネ１２６ｂが防水壁１２０に干渉して引張バネ１２６ｂの取り付け性が悪化することを抑制することができる。
【００７７】
図２２に示すように、下側ハウジング１３０には、チェッカレール１５０、１５２と、端子取付部１５４とが形成されている。チェッカレール１５０、１５２は、前後方向に長手方向を有する。チェッカレール１５０は、下側ハウジング１３０の下面１３０ａの右端部に配置されている。チェッカレール１５２は、下側ハウジング１３０の下面１３０ａの左端部に配置されている。チェッカレール１５０、１５２は、バッテリパック１０４のバッテリ側取付部１０４ａのレール（図示省略）よりも長い。これにより、アダプタ１０２がバッテリチェッカ１０６以外の電気機器、例えば、電動工具や電動作業機に誤って取り付けられない。また、チェッカレール１５２は、チェッカレール１５０の前端部よりも前側に長く延びている。これにより、アダプタ１０２は、旧型のバッテリチェッカ１０６に対して着脱可能であるが、新型のバッテリチェッカ１０６に対して着脱不能である。アダプタ１０２のチェッカ取付部１０８にバッテリチェッカ１０６のチェッカ側取付部１０６ａを取り付ける場合、チェッカレール１５０、１５２は、チェッカ側取付部１０６ａをスライド方向に案内する。端子取付部１５４は、チェッカレール１５０、１５２の間に配置されている。
【００７８】
また、アダプタ１０２は、フック１８０をさらに備えている。フック１８０は、アダプタ１０２の後端に配置されている。フック１８０は、圧縮バネ１８２（図２３参照）に付勢されることによって、通常時には、下側ハウジング１３０の下面１３０ａよりも下方に突出している。フック１８０は、上下方向に長手方向を有している。フック１８０がバッテリチェッカ１０６の上面に形成されている係合溝（図示省略）に係合することで、アダプタ１０２がバッテリチェッカ１０６に保持される。
【００７９】
図２０に示すように、アダプタ１０２は、内壁１２２、１２４をさらに備えている。内壁１２２、１２４は、上側ハウジング１２８と下側ハウジング１３０の内部に収容されている。内壁１２２、１２４は、下側ハウジング１３０の下側内面から上側に延びている。内壁１２２、１２４は、前後方向に長手方向を有する。内壁１２２は、防水壁１１８よりも左側であって、制御基板１１６よりも右側に配置されている。また、内壁１２２の上端部は、防水壁１１８の下端部と制御基板１１６よりも上側に配置されている。内壁１２４は、防水壁１２０よりも右側であって、制御基板１１６よりも左側に配置されている。また、内壁１２４の上端部は、防水壁１２０の下端部と制御基板１１６よりも上側に配置されている。左右方向に関して、制御基板１１６は、内壁１２２、１２４の間に配置されている。また、左右方向に関して、内壁１２２、１２４は、防水壁１１８、１２０の間に配置されている。左右方向に関して、内壁１２２が防水壁１１８に対して重なり合い、かつ、内壁１２４が防水壁１２０に対して重なり合うことによって、内壁１２２、１２４と防水壁１１８、１２０とがラビリンス構造を形成する。これにより、アダプタ１０２が、防水壁１１８、１２０と内壁１２２、１２４のうちの一方のみを備えている場合と比較して、貫通孔１３８、１４０のそれぞれからハウジング１１２の内部に侵入した水が、制御基板１１６に到達することをさらに抑制することができる。
【００８０】
下側ハウジング１３０の内面には、段差部１５８、１６０が形成されている。段差部１５８は、内壁１２２と防水壁１１８よりも右側に配置されている。段差部１５８よりも右側の下側ハウジング１３０の下側内面は、段差部１５８と内壁１２２との間の下側内面よりも上側に位置している。段差部１５８と内壁１２２との間には、防水溝１６４が形成されている。段差部１６０は、内壁１２４と防水壁１２０よりも左側に配置されている。段差部１６０よりも左側の下側ハウジング１３０の下側内面は、段差部１６０と内壁１２４との間の下側内面よりも上側に位置している。段差部１６０と内壁１２４との間には、防水溝１６６が形成されている。防水溝１６６が形成されている。防水溝１６４、１６６は、前後方向に長手方向を有する。防水壁１１８の下端部は、防水溝１６４内に配置されている。また、防水壁１２０の下端部は、防水溝１６６内に配置されている。防水溝１６４、１６６は、防水壁１１８、１２０のそれぞれによって案内された水を受ける。
【００８１】
下側ハウジング１３０には、排出口１６８、１７０が形成されている。排出口１６８は、防水溝１６４の前端部に配置されている。また、排出口１７０は、防水溝１６６の前端部に配置されている。
【００８２】
水平面に載置されたバッテリチェッカ１０６にアダプタ１０２を取り付けた場合、下側ハウジング１３０の下面１３０ａは、水平面に対して、後側から前側に向かうにつれて上側から下側に向かうように傾斜している。このため、防水溝１６４、１６６は、水平面に対して、後側から前側に向かうにつれて上側から下側に向かうように傾斜している。これにより、防水壁１１８、１２０から防水溝１６４、１６６に滴下した水は、前側に向かって流れ、排出口１６８、１７０からハウジング１１２の外部に排出される。排出口１６８、１７０から排出された水は、バッテリチェッカ１０６の外面を伝って、バッテリチェッカ１０６の下側に滴下する。
【００８３】
また、アダプタ１０２を水平面に載置した場合においても、下側ハウジング１３０の下面１３０ａは、水平面に対して後側から前側に向かうにつれて上側から下側に向かうように傾斜している。このため、防水溝１６４、１６６は、水平面に対して後側から前側に向かうにつれて上側から下側に向かうように傾斜している。これにより、防水壁１１８、１２０から防水溝１６４、１６６に移動した水は、前側に向かって流れ、排出口１６８、１７０からハウジング１１２の外部に排出される。
【００８４】
図２３に示すように、制御基板１１６は、下側ハウジング１３０の下面１３０ａと平行に配置されている。制御基板１１６は、上側ハウジング１２８の上面１２８ａに対して傾斜している。本実施例では、上側ハウジング１２８の上面１２８ａは、下側ハウジング１３０の下面１３０ａに対して５°の角度で傾斜している。なお、上側ハウジング１２８の上面１２８ａは、下側ハウジング１３０の下面１３０ａに対して０°よりも大きく、かつ１０°以下の角度で傾斜していてもよく、０°よりも大きく、かつ１５°以下の角度で傾斜していてもよい。
【００８５】
制御基板１１６の下面１１６ａには、機器側端子１７４が実装されている。機器側端子１７４は、制御基板１１６の下面１１６ａから下側に延びた後、屈曲して前側に延びている。機器側端子１７４は、下側ハウジング１３０の端子取付部１５４を介して、下側ハウジング１３０の外部に突出している。アダプタ１０２がバッテリチェッカ１０６に取り付けられると、機器側端子１７４は、バッテリチェッカ１０６の端子（図示省略）と電気的に接続する。
【００８６】
制御基板１１６の上面１１６ｂには、バッテリ側端子１７６が実装されている。バッテリ側端子１７６は、上側ハウジング１２８の端子取付部１４２を介して、上側ハウジング１２８の外部に突出している。アダプタ１０２がバッテリパック１０４に取り付けられると、バッテリ側端子１７６は、バッテリパック１０４の端子（図示省略）と電気的に接続する。
【００８７】
（実施例３）
図２７、図２８を参照して、実施例３のアダプタ２０２を説明する。図２７に示すように、本実施例のアダプタ２０２は、実施例２のアダプタ１０２と略同様の構成を備えている。本実施例のアダプタ２０２は、端子カバー１１４の代わりに、端子カバー２０４を備えている。
【００８８】
図２８に示すように、本実施例の端子カバー２０４は、実施例２の端子カバー１１４と略同様の構成を備えている。本実施例の端子カバー２０４は、カバー本体１１５と、フック１１７，１１９と、カバープレート２０６，２０８を備えている。
【００８９】
カバープレート２０６は、フック１１７の上板１１７ｃと同一平面に沿って配置されている。カバープレート２０６は、カバー本体１１５の前板１１５ａからフック１１７の上板１１７ｃまで伸びている。カバープレート２０８は、フック１１９の上板１１９ｃと同一平面に沿って配置されている。カバープレート２０８は、カバー本体１１５の前板１１５ａからフック１１９の上板１１９ｃまで伸びている。
【００９０】
図２７に示すように、端子カバー２０４が上側ハウジング１２８に取り付けられた状態では、カバープレート２０６とフック１１７の上板１１７ｃが上側ハウジング１２８の凸条１３９に対向して配置されており、カバープレート２０８とフック１１９の上板１１９ｃが上側ハウジング１２８の凸条１４１に対向して配置される。このため、端子カバー２０４を上側ハウジング１２８に対して左右方向を回動軸として回動させる力が作用した場合に、実施例２のアダプタ１０２に比べて、端子カバー２０４のガタつきが小さくなる。これによって、端子カバー２０４を上側ハウジング１２８に対して左右方向を回動軸として回動させる力が作用した場合でも、バッテリ側端子１７６がカバー本体１１５の前板１１５ａや上板１１５ｂに接触してしまうことを抑制することができる。
【００９１】
以上のように、１またはそれ以上の実施形態において、アダプタ１０２，２０２（電気機器の例）は、バッテリパック１０４をスライド方向にスライドさせることでバッテリパック１０４を着脱可能なハウジング１１２と、ハウジング１１２に取り付けられたバッテリパック１０４と電気的に接続されるバッテリ側端子１７６（バッテリ接続端子の例）と、バッテリ側端子１７６を保護する保護位置と、バッテリ側端子１７６を露出させる露出位置の間で移動可能な端子カバー１１４，２０４を備えている。ハウジング１１２は、スライド方向に沿って伸びるカバーレール１３５，１３７を備えている。端子カバー１１４，２０４は、バッテリ側端子１７６を少なくとも部分的に覆う形状を有するカバー本体１１５と、カバー本体１１５と一体的に形成されたフック１１７，１１９を備えている。フック１１７，１１９は、カバーレール１３５，１３７に対してスライド方向に摺動可能に係合している。
【００９２】
上記のアダプタ１０２，２０２によれば、カバー本体１１５と一体的に形成されたフック１１７，１１９をカバーレール１３５，１３７に係合させることで、端子カバー１１４，２０４をハウジング１１２に組み付けることができる。端子カバー１１４，２０４をハウジング１１２に組み付ける際に、ネジ留め作業を必要としないので、組立作業や補修作業を容易に行うことができる。
【００９３】
１またはそれ以上の実施形態において、カバーレール１３５，１３７は、第１のカバーレール１３５と、第２のカバーレール１３７を備えている。フック１１７，１１９は、第１のカバーレール１３５に対してスライド方向に摺動可能に係合している第１のフック１１７と、第２のカバーレール１３７に対してスライド方向に摺動可能に係合している第２のフック１１９を備えている。
【００９４】
上記の構成によれば、第１のフック１１７と第２のフック１１９のそれぞれが、第１のカバーレール１３５と第２のカバーレール１３７のそれぞれに摺動可能に係合するので、端子カバー１１４，２０４をハウジング１１２に対してスライドさせる際に、端子カバー１１４，２０４がガタつくことを抑制することができる。端子カバー１１４，２０４をハウジング１１２に対してスムーズにスライドさせることができる。
【００９５】
１またはそれ以上の実施形態において、バッテリ側端子１７６は、第１のカバーレール１３５と第２のカバーレール１３７の間に配置されている。
【００９６】
上記の構成によれば、アダプタ１０２，２０２において、バッテリ側端子１７６と、端子カバー１１４，２０４と、カバーレール１３５，１３７が占める範囲を、スライド方向に関してより小型化することができる。
【００９７】
１またはそれ以上の実施形態において、アダプタ１０２，２０２は、ハウジング１１２の内部に収容された引張バネ１２６ａ，１２６ｂをさらに備えている。端子カバー１１４，２０４は、引張バネ１２６ａ，１２６ｂの弾性復元力によって、露出位置から保護位置に向けて付勢されている。
【００９８】
１またはそれ以上の実施形態において、アダプタ１０２，２０２（電気機器の例）は、バッテリパック１０４をスライド方向にスライドさせることでバッテリパック１０４を着脱可能なハウジング１１２と、ハウジング１１２に取り付けられたバッテリパック１０４と電気的に接続されるバッテリ側端子１７６（バッテリ接続端子の例）と、バッテリ側端子１７６を保護する保護位置と、バッテリ側端子１７６を露出させる露出位置の間で移動可能な端子カバー１１４，２０４と、ハウジング１１２の内部に収容された引張バネ１２６ａ，１２６ｂを備えている。端子カバー１１４，２０４は、引張バネ１２６ａ，１２６ｂの弾性復元力によって、露出位置から保護位置に向けて付勢されている。
【００９９】
端子カバー１１４，２０４が圧縮バネの弾性復元力によって露出位置から保護位置に向けて付勢されている構成では、圧縮バネが座屈変形を生じた時に、圧縮バネが周囲の部材と接触してしまい、騒音の発生や、圧縮バネや周囲の部材の損傷を招くおそれがある。上記の構成によれば、端子カバー１１４，２０４が引張バネ１２６ａ，１２６ｂの弾性復元力によって露出位置から保護位置に向けて付勢されているので、バネの座屈変形に起因する騒音の発生や部材の損傷を防止することができる。
【０１００】
１またはそれ以上の実施形態において、カバーレール１３５，１３７は、ハウジング１１２に形成された貫通孔１３８，１４０の縁の部分に形成されている。端子カバー１１４，２０４が露出位置から保護位置に向かう方向に関して、フック１１７，１１９は、カバー本体１１５よりも突出した形状を有している。
【０１０１】
カバーレール１３５，１３７がハウジング１１２に形成された貫通孔１３８，１４０の縁の部分に形成されている場合、バッテリパック１０４が取り付けられていない状態では、ハウジング１１２の外部から貫通孔１３８，１４０を介して水や異物が入り込んで、引張バネ１２６ａ，１２６ｂの動作に影響を及ぼすおそれがある。上記の構成によれば、端子カバー１１４，２０４が露出位置から保護位置に向かう方向に関して、フック１１７，１１９がカバー本体１１５よりも突出した形状を有しているので、バッテリパック１０４が取り付けられていない状態でも、フック１１７，１１９によって引張バネ１２６ａ，１２６ｂをハウジング１１２の外部から遮蔽することができる。バッテリパック１０４が取り付けられていない状態において、ハウジング１１２の外部から貫通孔１３８，１４０を介して水や異物が入り込んで、引張バネ１２６ａ，１２６ｂの動作に影響を及ぼすことを抑制することができる。
【０１０２】
１またはそれ以上の実施形態において、カバーレール１３５，１３７の外面には、スライド方向に沿って延びる凸条１３９，１４１が形成されている。
【０１０３】
上記のような凸条１３９，１４１がカバーレール１３５，１３７の外面に形成されていない場合、フック１１７，１１９がカバーレール１３５，１３７に対して繰り返し摺動した場合に、カバーレール１３５，１３７の外面に傷痕が形成されて、アダプタ１０２，２０２の美観を損なうおそれがある。上記の構成によれば、フック１１７，１１９がカバーレール１３５，１３７に対して繰り返し摺動した場合でも、カバーレール１３５，１３７の外面に傷痕が形成されることを抑制することができ、アダプタ１０２，２０２の美観を保つことができる。
【０１０４】
１またはそれ以上の実施形態において、端子カバー２０４は、フック１１７，１１９と一体的に形成されており、カバーレール１３５，１３７の外面に沿って延びており、スライド方向に長手方向を有するカバープレート２０６，２０８をさらに備えている。
【０１０５】
上記の構成によれば、端子カバー２０４のスライド方向の端部を上下に動かす回動方向の力が端子カバー２０４に作用した場合でも、端子カバー２０４がハウジング１１２に対してガタつく事を抑制することができ、端子カバー２０４がバッテリ側端子１７６と接触してしまうことを抑制することができる。
【０１０６】
１またはそれ以上の実施形態において、カバー本体１１５は、スライド方向に対して直交する面に沿った補強リブ１１５ｆ，１１５ｇ、補強フランジ１１５ｈ（補強部材の例）を備えている。
【０１０７】
上記の構成によれば、カバー本体１１５のスライド方向に直交する方向の剛性を向上することができる。これによって、カバー本体１１５に衝撃が作用した場合でも、カバー本体１１５が変形することを抑制することができ、カバー本体１１５がバッテリ側端子１７６と接触してしまうことを抑制することができる。
【符号の説明】
【０１０８】
２        ：バッテリパック
１０      ：充電器
１２      ：ハウジング
１４      ：バッテリパック取付部
１６      ：充電回路
１８      ：送風機
２０      ：インナフレーム
２２      ：下側ハウジング
２４      ：上側ハウジング
２６      ：給気口
２８      ：排気口
３０      ：バッテリレール
３０ａ    ：支持壁
３０ｂ    ：ガイドリブ
３１      ：バッテリレール
３１ａ    ：支持壁
３１ｂ    ：ガイドリブ
３２      ：バッテリ接続端子
３４      ：端子カバー
３６      ：カバーレール
３７      ：カバーレール
３８      ：引張バネ
３８ａ    ：前端
３８ｂ    ：後端
３９      ：引張バネ
３９ａ    ：前端
３９ｂ    ：後端
４０      ：貫通孔
４１      ：貫通孔
４２      ：カバー本体
４２ａ    ：前板
４２ｂ    ：上板
４２ｃ    ：左板
４２ｄ    ：右板
４２ｅ    ：仕切り板
４４      ：フック
４４ａ    ：係合部
４４ｂ    ：バネ取付部
４４ｃ    ：バネ取付穴
４５      ：フック
４５ａ    ：係合部
４５ｂ    ：バネ取付部
４５ｃ    ：バネ取付穴
４６      ：バネ取付柱
４７      ：バネ取付柱
４８      ：ストッパリブ
４９      ：ストッパリブ
５０      ：ストッパ壁
５１      ：ストッパ壁
５２      ：底板
５３      ：底板
５４      ：内側リブ
５５      ：内側リブ
５６      ：外側リブ
５７      ：外側リブ
１０２    ：アダプタ
１０４    ：バッテリパック
１０４ａ  ：バッテリ側取付部
１０６    ：バッテリチェッカ
１０６ａ  ：チェッカ側取付部
１０８    ：チェッカ取付部
１１０    ：バッテリ取付部
１１２    ：ハウジング
１１４    ：端子カバー
１１５    ：カバー本体
１１５ａ  ：前板
１１５ｂ  ：上板
１１５ｃ  ：左板
１１５ｄ  ：右板
１１５ｅ  ：仕切り板
１１５ｆ  ：補強リブ
１１５ｇ  ：補強リブ
１１５ｈ  ：補強フランジ
１１６    ：制御基板
１１６ａ  ：下面
１１６ｂ  ：上面
１１７    ：フック
１１７ａ  ：係合部
１１７ｂ  ：バネ取付部
１１７ｃ  ：上板
１１７ｄ  ：右板
１１７ｅ  ：下板
１１７ｆ  ：凸条
１１７ｇ  ：バネ取付穴
１１８    ：防水壁
１１９    ：フック
１１９ａ  ：係合部
１１９ｂ  ：バネ取付部
１１９ｃ  ：上板
１１９ｄ  ：左板
１１９ｅ  ：下板
１１９ｆ  ：凸条
１１９ｇ  ：バネ取付穴
１２０    ：防水壁
１２２    ：内壁
１２４    ：内壁
１２６ａ  ：引張バネ
１２６ｂ  ：引張バネ
１２８    ：上側ハウジング
１２８ａ  ：上面
１３０    ：下側ハウジング
１３０ａ  ：下面
１３１    ：ねじ
１３２ａ  ：ピン
１３２ｂ  ：ピン
１３４    ：バッテリレール
１３５    ：カバーレール
１３６    ：バッテリレール
１３７    ：カバーレール
１３８    ：貫通孔
１３９    ：凸条
１４０    ：貫通孔
１４１    ：凸条
１４２    ：端子取付部
１４４    ：位置決めピン
１４６    ：ねじ
１５０    ：チェッカレール
１５２    ：チェッカレール
１５４    ：端子取付部
１５８    ：段差部
１６０    ：段差部
１６４    ：防水溝
１６６    ：防水溝
１６８    ：排出口
１７０    ：排出口
１７４    ：機器側端子
１７６    ：バッテリ側端子
１８０    ：フック
１８２    ：圧縮バネ
２０２    ：アダプタ
２０４    ：端子カバー
２０６    ：カバープレート
２０８    ：カバープレート
【図１】
2020162407.tif 000003
【図２】
2020162407.tif 000004
【図３】
2020162407.tif 000005
【図４】
2020162407.tif 000006
【図５】
2020162407.tif 000007
【図６】
2020162407.tif 000008
【図７】
2020162407.tif 000009
【図８】
2020162407.tif 000010
【図９】
2020162407.tif 000011
【図１０】
2020162407.tif 000012
【図１１】
2020162407.tif 000013
【図１２】
2020162407.tif 000014
【図１３】
2020162407.tif 000015
【図１４】
2020162407.tif 000016
【図１５】
2020162407.tif 000017
【図１６】
2020162407.tif 000018
【図１７】
2020162407.tif 000019
【図１８】
2020162407.tif 000020
【図１９】
2020162407.tif 000021
【図２０】
2020162407.tif 000022
【図２１】
2020162407.tif 000023
【図２２】
2020162407.tif 000024
【図２３】
2020162407.tif 000025
【図２４】
2020162407.tif 000026
【図２５】
2020162407.tif 000027
【図２６】
2020162407.tif 000028
【図２７】
2020162407.tif 000029
【図２８】
2020162407.tif 000030